(57)【特許請求の範囲】
【請求項１】
車両室内の空調を制御する制御手段にその制御態様を指示するべく操作される第１及び第２のスイッチを有するカーエアコンのスイッチ装置において、
前記第１のスイッチの操作に応じて表示態様が変化する第１のインジケータと、
前記第２のスイッチの操作に応じて表示態様が変化する第２のインジケータと、
これら第１のインジケータと第２のインジケータとを連結する連結インジケータと、を備え、
前記第１のスイッチの操作を通じて指示された制御態様に応じて作動目的が切り替わる前記第２のスイッチの操作を通じて、作動の有無が指示される機器の作動状態及びその作動目的を前記連結インジケータにより表示するカーエアコンのスイッチ装置。
【請求項２】
請求項１に記載のカーエアコンのスイッチ装置において、
前記第１及び第２のスイッチは、温度設定スイッチ及びＡ／Ｃスイッチであることを特徴とするカーエアコンのスイッチ装置。
【請求項３】
請求項１又は２に記載のカーエアコンのスイッチ装置において、
前記第１のインジケータ、前記第２のインジケータ、及び前記連結インジケータは、少なくとも共通の一色を含む複数の色で点灯することができるインジケータであって、
前記第１のスイッチ及び前記第２のスイッチがともに操作されることにより前記機器が特定の機能を発揮する状態となるとき、前記第１のインジケータ、前記第２のインジケータ、及び前記連結インジケータを、共通の一色で点灯させるカーエアコンのスイッチ装置。
【請求項４】
請求項１〜３のうちいずれか一項に記載のカーエアコンのスイッチ装置において、
前記第１のインジケータは、前記第１のスイッチとしての温度設定スイッチの操作に応じて表示態様が変化するものであり、
前記第２のインジケータは、前記第２のスイッチとしての前記Ａ／Ｃスイッチの操作及び前記温度設定スイッチの操作に応じて表示態様が変化するものであって、
前記連結インジケータとしての第１の連結インジケータは、前記Ａ／Ｃスイッチがオン操作された状態で前記温度設定スイッチの操作を通じて設定された設定温度がそのときの室内温度を下回るときに点灯するカーエアコンのスイッチ装置。
【請求項５】
請求項１〜４のうちいずれか一項に記載のカーエアコンのスイッチ装置において、
フロントウインドウに向けて送風するフロントデフロスター機能の作動の有無を切り替えるフロントデフロスタースイッチと、
前記フロントデフロスタースイッチの操作に応じて表示態様が変化する第３のインジケータと、
前記第３のインジケータと前記第２のインジケータとを連結する前記連結インジケータとしての第２の連結インジケータと、を備え、
前記第２のインジケータは、前記第２のスイッチとしての前記Ａ／Ｃスイッチの操作及び前記第１のスイッチとしての温度設定スイッチの操作に応じて表示態様が変化するものであって、
前記第２の連結インジケータは、前記フロントデフロスタースイッチがオン操作された状態で、Ａ／Ｃスイッチがオン操作された状態であるときに点灯するカーエアコンのスイッチ装置。
【請求項６】
請求項５に記載のカーエアコンのスイッチ装置において、
前記第２の連結インジケータは、前記フロントデフロスタースイッチがオン操作された状態で、前記温度設定スイッチの操作を通じて設定される温度がそのときの室内温度よりも高いときに点灯するカーエアコンのスイッチ装置。
【発明の詳細な説明】
【技術分野】
【０００１】
本発明は、カーエアコンのスイッチ装置に関する。
【背景技術】
【０００２】
従来、自動車には、乗車中の環境を快適なものにするため、車室内の空気調節を行うエアコンが設けられている。カーエアコンは、例えば、非特許文献１に示されるようなスイッチ装置の操作によって任意に設定された環境に車両の室内を空調する。
【先行技術文献】
【非特許文献】
【０００３】
【非特許文献１】トヨタ自動車株式会社発行、「ＡＬＬＩＯＮ  取扱書」、２０１０年４月２６日初版、１９１頁
【発明の概要】
【発明が解決しようとする課題】
【０００４】
ところで、非特許文献１に開示されているカーエアコンのスイッチ装置では、インジケータの点灯の有無や、表示画面における表示を視認することによってどのスイッチに対応する機能が作動しているか否かを確認することができる。このスイッチには、Ａ／Ｃスイッチも含まれる。Ａ／Ｃスイッチは、コンプレッサーの作動の有無を切り替えるスイッチである。例えば、Ａ／Ｃスイッチにインジケータが設けられている場合、同インジケータの点灯の有無を確認することにより、コンプレッサーの作動の有無を確認することができる。
【０００５】
コンプレッサーは、冷気及び除湿空気を作るために、外気又は内気から熱を奪って気化した冷媒を液化するために圧縮するためのものである。すなわち、エアコンの冷房機能及び除湿機能を作動させるためには、コンプレッサーの作動が必要である。換言すれば、コンプレッサーが作動しているときは、エアコンは、除湿機能を含む冷房機能、若しくは除湿機能を作動させている。この両機能の切り替えは、設定温度によってなされるが、Ａ／Ｃスイッチに設けられるインジケータを確認するだけでは、エアコンがどちらの機能を発揮しているかわかりにくい。
【０００６】
本発明は、上記課題に鑑みてなされたものであり、その目的は、スイッチに対応する機器の作動目的の認識を促すカーエアコンのスイッチ装置を提供することにある。
【課題を解決するための手段】
【０００７】
上記課題を解決するために、請求項１に記載の発明は、車両室内の空調を制御する制御手段にその制御態様を指示するべく操作される第１及び第２のスイッチを有するカーエアコンのスイッチ装置において、前記第１のスイッチの操作に応じて表示態様が変化する第１のインジケータと、前記第２のスイッチの操作に応じて表示態様が変化する第２のインジケータと、これら第１のインジケータと第２のインジケータとを連結する連結インジケータと、を備え、前記第１のスイッチの操作を通じて指示された制御態様に応じて作動目的が切り替わる前記第２のスイッチの操作を通じて、作動の有無が指示される機器の作動状態及びその作動目的を前記連結インジケータにより表示することを要旨とする。
【０００８】
同構成によれば、機器の作動状態及び作動目的に加えて、第１のスイッチの操作に応じて発揮される機能と第２のスイッチの操作に応じて発揮される機能とが関連していることを、連結インジケータの表示を通じて、車両ユーザに促すことができる。
【０００９】
請求項２に記載の発明は、請求項１に記載のカーエアコンのスイッチ装置において、前記第１及び第２のスイッチは、温度設定スイッチ及びＡ／Ｃスイッチであることを特徴とすることを要旨とする。
【００１０】
Ａ／Ｃスイッチは、コンプレッサーの作動の有無を切り替えるスイッチである。コンプレッサーが作動しているとき、エアコンは、除湿機能を含む冷房機能、若しくは除湿機能を作動させている。このエアコンの両機能の切り替えは、温度設定スイッチの操作を通じて設定される設定温度によってなされる。従って、同構成によれば、Ａ／Ｃスイッチがオン操作されコンプレッサーが作動しているときに、温度設定スイッチが操作されると、表示装置の表示態様が変化する。これにより、ユーザは、表示装置を視認することによって、温度設定スイッチの操作が、Ａ／Ｃスイッチに対応する機器の作動目的、すなわちコンプレッサーの作動目的と対応することを認識することがでる。
【００１１】
請求項３に記載の発明は、請求項１又は２に記載のカーエアコンのスイッチ装置において、前記第１のインジケータ、前記第２のインジケータ、及び前記連結インジケータは、少なくとも共通の一色を含む複数の色で点灯することができるインジケータであって、前記第１のスイッチ及び前記第２のスイッチがともに操作されることによりカーエアコンが特定の機能を発揮する状態となるとき、前記第１のインジケータ、前記第２のインジケータ、及び前記連結インジケータを、共通の一色で点灯させることを要旨とする。
【００１２】
同構成によれば、ユーザは、第１のインジケータ、第２のインジケータ、及び連結インジケータの色が共通であるか否かを通じて、カーエアコンが特定の機能を発揮する状態にあるか否かを認識することができる。また、請求項２に適用した場合には、ユーザは、各インジケータの視認を通じて、コンプレッサーの作動目的を認識することができる。ひいては、エアコンが除湿機能を含む冷房機能を作動させているのか、若しくは除湿機能を作動させているのかを認識することができる。
【００１３】
請求項４に記載の発明は、請求項１〜３のうちいずれか一項に記載のカーエアコンのスイッチ装置において、前記第１のインジケータは、前記第１のスイッチとしての温度設定スイッチの操作に応じて表示態様が変化するものであり、前記第２のインジケータは、前記第２のスイッチとしての前記Ａ／Ｃスイッチの操作及び前記温度設定スイッチの操作に応じて表示態様が変化するものであって、前記連結インジケータとしての第１の連結インジケータは、前記Ａ／Ｃスイッチがオン操作された状態で前記温度設定スイッチの操作を通じて設定された設定温度がそのときの室内温度を下回るときに点灯することを要旨とする。
【００１４】
Ａ／Ｃスイッチスイッチがオンとき、コンプレッサーは、エアコンから吐出される空調風を除湿気とするために作動する。さらに、温度設定スイッチにおける設定温度がそのときの室内温度より低いとき、コンプレッサーは、エアコンから吐出される空調風を除湿された冷気とするために作動する。すなわち、エアコンから冷気を吐出させる場合、温度設定スイッチによって設定された設定温度と、Ａ／Ｃスイッチによって作動の有無が切り替えられるコンプレッサーとが連動することになる。そこで、同構成によれば、設定温度がそのときの室内温度よりも低い温度に設定されたときに、第１の連結インジケータを点灯させることにした。これにより、温度設定スイッチ用インジケータとＡ／Ｃスイッチ用インジケータとが点灯状態で連結される。ユーザは、この第１の連結インジケータの点灯を通じて、設定温度とＡ／Ｃスイッチとが連動してエアコンが冷気を吐出することを認識することができる。
【００１５】
請求項５に記載の発明は、請求項１〜４のうちいずれか一項に記載のカーエアコンのスイッチ装置において、フロントウインドウに向けて送風するフロントデフロスター機能の作動の有無を切り替えるフロントデフロスタースイッチと、前記フロントデフロスタースイッチの操作に応じて表示態様が変化する第３のインジケータと、前記第３のインジケータと前記第２のインジケータとを連結する前記連結インジケータとしての第２の連結インジケータと、を備え、前記第２のインジケータは、前記第２のスイッチとしての前記Ａ／Ｃスイッチの操作及び第１のスイッチとしての前記温度設定スイッチの操作に応じて表示態様が変化するものであって、前記第２の連結インジケータは、前記フロントデフロスタースイッチがオン操作された状態で、Ａ／Ｃスイッチがオン操作された状態であるときに点灯することを要旨とする。
【００１６】
フロントデフロスター機能とは、除湿された空気や外気をフロントウインドウに向けて送風することによって、フロントウインドウの内側にできた曇りを解消したり予防したりするいわゆる除霜機能である。そこで、同構成によれば、フロントデフロスタースイッチとＡ／Ｃスイッチとの両方がオン操作されているときに第２の連結インジケータを点灯させるようにした。このとき、フロントウインドウには、除湿された空気が送風され、同フロントウインドウの曇りを解消する。すなわち、ユーザは、第２の連結インジケータの点灯を通じて、フロントデフロスタースイッチとＡ／Ｃスイッチとの両方がオン操作されたことによってそれぞれが発揮する機能の協働により、フロントウインドウの曇りが解消されることを認識することができる。
【００１７】
請求項６に記載の発明は、請求項５に記載のカーエアコンのスイッチ装置において、前記第２の連結インジケータは、前記フロントデフロスタースイッチがオン操作された状態で、前記温度設定スイッチの操作を通じて設定される温度がそのときの室内温度よりも高いときに点灯することを要旨とする。
【００１８】
一般に、フロントウインドウに曇りが発生する状況は、外気温度が低く内気温度が高い場合が多い。これは、冷たい外気によって、フロントウインドウ近傍の内気が冷やされて飽和しきれなくなった水蒸気が同フロントウインドウに付着するからである。すなわち、この場合、エアコンが吐出する空気が冷気である場合、外気と内気との温度差が小さくなり、フロントウインドウの曇りが解消される。しかし、冷房機能の本来の目的は、内気を冷やしてユーザに涼しく感じさせることであるため、エアコンが冷気を吐出するときに第２の連結インジケータを点灯させてＡ／Ｃスイッチとフロントデフロスタースイッチとが関連するように示すと、冷気によってフロントウインドウの曇りが解消されたとユーザが誤って認識するおそれがある。その点、同構成によれば、エアコンから吐出される空調風が除湿気であるときのみ、第２の連結インジケータを点灯させてＡ／Ｃスイッチとフロントデフロスタースイッチとの関連を示す。これにより、本来の除湿された空気をフロントウインドウに送風することにより、同フロントウインドウの曇りを解消する正しいフロントデフロスター機能の理解をユーザに促すことができる。
【発明の効果】
【００１９】
本発明では、スイッチに対応する機器の作動目的の認識を促すカーエアコンのスイッチ装置を提供することができる。
【図面の簡単な説明】
【００２０】
【図１】本実施形態のカーエアコンの概略構成を示すブロック図。
【図２】本実施形態のスイッチ装置を示す正面図。
【図３】図１に示すコントロールユニットのメモリに記憶されているインジケータの表示色と各機器の作動状態との対応図。
【図４】図１に示すコントロールユニットにおける表示制御の処理手順を示すフローチャート。
【図５】図１に示すＥＣＵにおける空調制御の処理手順を示すフローチャート。
【図６】（ａ）〜（ｈ）は、エアコンの各作動状態に対応したインジケータの発光態様を示す正面図。
【発明を実施するための形態】
【００２１】
以下、本発明のカーエアコンのスイッチ装置の一実施形態を図面に従って説明する。
図１に示されるように、カーエアコン１は、図示しない車両に搭載される内気センサ２、外気センサ３、日射センサ４、温度設定ダイヤル５、Ａ／Ｃスイッチ６、及びフロントデフロスタースイッチ７からの情報を基に制御手段としてのＥＣＵ８によって制御される。内気センサ２は、車両室内の温度情報及び湿度情報を取得して、その情報をＥＣＵ８に入力する。外気センサ３は、車両室外の温度情報及び湿度情報を取得して、その情報をＥＣＵ８に入力する。日射センサ４は、車両室内に注がれる日射量の情報を取得して、その情報をＥＣＵ８に入力する。温度設定ダイヤル５は、ユーザにより操作されて、ユーザの希望温度情報をＥＣＵ８に入力する。ＥＣＵ８は、各センサ等を通じて入力される情報に基づき設定温度に空調するための最適な制御状態（風量等）を演算し、これに基づき空調制御を行う。また、ＥＣＵ８は、その制御状態を示す制御情報をコントロールユニット９へ出力する。コントロールユニット９は、ＥＣＵ８からの制御情報に基づき表示制御装置１０の制御を通じて各インジケータ１５，１６，１７，１８，１９の表示制御を行う。各インジケータ１５，１６，１７，１８，１９は、表示制御装置１０からの指令に基づき点灯する。
【００２２】
図２に示されるように、車両のダッシュボードには、円形の温度設定ダイヤル５、円形のＡ／Ｃスイッチ６、及び円形のフロントデフロスタースイッチ７が横並びとされたスイッチ装置２０が設けられている。Ａ／Ｃスイッチ６は、車両に搭載される図示しないコンプレッサーを作動の有無を切り替えるスイッチである。コンプレッサーは、カーエアコンのＡ／Ｃ機能、すなわち、冷房機能及び除湿機能を作動させる際に作動される。Ａ／Ｃスイッチ６がオンとされているとき、コンプレッサーは、車両室内に除湿された空気又は冷気を吐出するために熱を奪って気化した状態の冷媒を液化するために圧縮する。圧縮された冷媒は、外気によって冷やされることにより液化する。フロントデフロスタースイッチ７は、フロントウインドウに向けて送風するフロントデフロスター機能の作動の有無を切り替えるスイッチである。フロントデフロスター機能とは、フロントウインドウに生じる結露（曇り）を抑制する、いわゆる除霜機能である。本例のフロントデフロスター機能は、除湿された空気等をフロントウインドウに送風することによって、上記結露を抑制して、運転者の前方の視界を確保する。ＥＣＵ８は、Ａ／Ｃスイッチ６及びフロントデフロスタースイッチ７が、押し操作される毎に各機能の作動の有無、すなわちオンとオフとを切り替える。
【００２３】
これら各スイッチの周囲には、環状のインジケータ１５，１６，１７が設けられている。また、インジケータ１５とインジケータ１６との間、及びインジケータ１６とインジケータ１７との間には、それぞれを接続する線分状のインジケータ１８，１９が設けられている。これら各インジケータは、複数色に点灯可能とされる。
【００２４】
コントロールユニット９のメモリ９ａには、各種の制御プログラム及び各インジケータ１５〜１９の表示色の設定データが記憶されている。設定データは、空調状態とインジケータとの対応関係を示すデータである。図３に示されるように、本例の設定データでは、フロントデフロスター機能がオン且つＡ／Ｃ機能がオンの状態で、設定温度が内気温度よりも低い、すなわちエアコンが冷房機能を発揮する空調制御Ａのときの各インジケータ１５〜１９の表示色は、青、青、橙、青、無色と設定されている。逆に設定温度が内気温度よりも高い、すなわちエアコンが暖房機能を発揮する空調制御Ｂのときの各インジケータ１５〜１９の表示色は、赤、橙、橙、無色、橙と設定されている。
【００２５】
フロントデフロスター機能がオン且つＡ／Ｃ機能がオフの状態で、エアコンが送風機能を発揮する空調制御Ｃのときの各インジケータ１５〜１９の表示色は、緑、無色、橙、無色、無色と設定されている。逆にエアコンが暖房機能を発揮する空調制御Ｄのときの各インジケータ１５〜１９の表示色は、赤、無色、橙、無色、無色と設定されている。
【００２６】
フロントデフロスター機能がオフ且つＡ／Ｃ機能がオンの状態で、エアコンが冷房機能を発揮する空調制御Ｅのときの各インジケータ１５〜１９の表示色は、青、青、無色、青、無色と設定されている。逆にエアコンが暖房機能を発揮する空調制御Ｆのときの各インジケータ１５〜１９の表示色は、赤、橙、無色、無色、無色と設定されている。
【００２７】
フロントデフロスター機能がオフ且つＡ／Ｃ機能がオフの状態で、エアコンが送風機能を発揮する空調制御Ｇのときの各インジケータ１５〜１９の表示色は、緑、無色、無色、無色、無色と設定されている。逆にエアコンが暖房機能を発揮する空調制御Ｈのときの各インジケータ１５〜１９の表示色は、赤、無色、無色、無色、無色と設定されている。なお、図３に示される「−」の表示は、消灯を表す。
【００２８】
コントロールユニット９は、ＥＣＵ８からの制御情報に基づき現在の空調の制御状態を認識し、メモリ９ａに記憶された表示設定データを参照して、各インジケータ１５〜１９の表示色を決定する。そしてコントロールユニット９は、その決定した表示色を各インジケータ１５〜１９に表示させる旨示す表示指令を生成する。表示制御装置１０は、コントロールユニット９において生成された表示指令に基づき各インジケータ１５〜１９の表示制御を行う。
【００２９】
次に、カーエアコン１の制御態様について説明する。ＥＣＵ８は、図示しないＡＵＴＯスイッチによってＡＵＴＯ機能がオンされたことを検出したときに空調制御を実行する。
図５のフローチャートに示されるように、ＥＣＵ８は、内気センサ２から車室内の温度及び湿度のデータを取得し（ステップＳ１）、外気センサ３から外気の温度及び湿度のデータを取得する（ステップＳ２）。次に、ＥＣＵ８は、日射センサ４から日射量のデータを取得し、（ステップＳ３）。温度設定ダイヤル５から設定温度データを取得する（ステップＳ４）。
【００３０】
つぎに、ＥＣＵ８は、ステップＳ１からステップＳ４を通じて取得される各種データに基づき、冷房・送風が必要とされる状態であるか否かを判断する（ステップＳ５）。ステップＳ５でＹＥＳ、すなわち冷房・送風機能を作動させる必要があると判断した場合には、Ａ／Ｃスイッチ６がオンされているか否かを判断する（ステップＳ６）。ステップＳ６でＹＥＳ、すなわちＡ／Ｃスイッチ６がオン、つまり冷房及び除湿機能を作動させる場合には、さらにフロントデフロスター機能がオンされているか否かを判断する（ステップＳ７）。ステップＳ７でＹＥＳ、すなわち、フロントデフロスター機能がオンの場合には、ＥＣＵ８は、図３に示す空調制御Ａで空調する（ステップＳ８）。ステップＳ７でＮＯ、すなわち、フロントデフロスター機能がオフの場合には、ＥＣＵ８は、空調制御Ｅで空調する（ステップＳ９）。そして、ＥＣＵ８は、空調装置の制御状態を示す信号（制御情報）をコントロールユニット９へ出力して（ステップＳ１０）、この一連の制御を終了する。
【００３１】
また、ＥＣＵ８は、ステップＳ６でＮＯ、すなわちＡ／Ｃスイッチ６がオフ、つまり送風機能を作動させる場合においても、フロントデフロスター機能がオンされているか否かを判断する（ステップＳ１１）。ステップＳ１１でＹＥＳ、すなわち、フロントデフロスター機能がオンの場合には、ＥＣＵ８は、図３に示す空調制御Ｃで空調する（ステップＳ１２）。ステップＳ１１でＮＯ、すなわち、フロントデフロスター機能がオフの場合には、ＥＣＵ８は、空調制御Ｇで空調する（ステップＳ１３）。そして、ＥＣＵ８は、ステップＳ１０へその処理を移行して、処理を終了する。
【００３２】
また、ＥＣＵ８は、ステップＳ５でＮＯ、すなわち、暖房機能をさせる空調制御であると判断した場合にも、Ａ／Ｃスイッチ６がオンされているか否かを判断する（ステップＳ１４）。ステップＳ１４でＹＥＳ、すなわちＡ／Ｃスイッチ６がオン、つまり除湿機能を作動させる場合には、さらにフロントデフロスター機能がオンされているか否かを判断する（ステップＳ１５）。ステップＳ１５でＹＥＳ、すなわち、フロントデフロスター機能がオンの場合には、ＥＣＵ８は、図３に示す空調制御Ｂで空調する（ステップＳ１６）。ステップＳ１５でＮＯ、すなわち、フロントデフロスター機能がオフの場合には、ＥＣＵ８は、空調制御Ｆで空調する（ステップＳ１７）。そして、ＥＣＵ８は、ステップＳ１０へその処理を移行して、処理を終了する。
【００３３】
また、ＥＣＵ８は、ステップＳ１４でＮＯ、すなわちＡ／Ｃスイッチ６がオフ、つまり暖房機能のみを作動させる場合にも、さらにフロントデフロスター機能がオンされているか否かを判断する（ステップＳ１８）。ステップＳ１８でＹＥＳ、すなわち、フロントデフロスター機能がオンの場合には、ＥＣＵ８は、図３に示す空調制御Ｄで空調する（ステップＳ１９）。ステップＳ１８でＮＯ、すなわち、フロントデフロスター機能がオフの場合には、ＥＣＵ８は、空調制御Ｈで空調する（ステップＳ２０）。そして、ＥＣＵ８は、ステップＳ１０へその処理を移行して、処理を終了する。
【００３４】
次に、各インジケータ１５〜１９の表示制御について説明する。ここでは、コントロールユニット９における処理手順を図４に示すフローチャートに従って説明する。このフローチャートは、メモリ９ａに記憶された制御プログラムに従い実行される。また、当該フローチャートは、車両の駆動源、例えばエンジンが始動されたとき、正確には車両の電源が投入されたとき実行される。なお、各インジケータ１５〜１９は、コントロールユニット９に電源が投入されない限り、全て消灯とされている。
【００３５】
車両の電源が投入されると、図４に示されるように、コントロールユニット９は、まず、空調の制御情報を取得する（ステップＳ２１）。そして、空調制御Ａ〜Ｈのうちいずれの空調制御が実行されているか否かを判断し（ステップＳ２２）、メモリ９ａに記憶された表示色の設定データを参照して、実行されている空調制御の表示データを読み込み込む（ステップＳ２３）。そして、表示制御装置１０を通じて各インジケータ１５〜１９を読み込んだ表示色に点灯させて（ステップＳ２４）、この一連の処理を終了する。
【００３６】
ここで、このステップＳ２４を経たコントロールユニット９が表示制御装置１０を通じて表示する各インジケータ１５〜１９の表示態様を図６（ａ）〜（ｈ）に示す。なお、図６中において、太斜線で示される領域は青色、細斜線で示される領域は赤色、無数の点で示される領域は緑色、網掛けで示される領域は橙色、無地で示される領域は消灯であることを示す。
【００３７】
まず、Ａ／Ｃスイッチ６がオン操作されて、Ａ／Ｃ機能がオンとされている状態について説明する。Ａ／Ｃ機能がオンとされている場合は、温度設定ダイヤル５によって調節される設定温度によってエアコンの作動状態が冷房と暖房との間で切り替わる。エアコンが冷房機能を作動させているとき、例えば外気温度よりも設定温度が低いときは、図６（ａ）及び図６（ｅ）に示されるように、インジケータ１５，１６，１８は青色に点灯する。すなわち、温度設定ダイヤル５及びＡ／Ｃスイッチ６の周囲が青く光り、また、これらは、線分状のインジケータ１８が青く光ることによって連結される。このように、温度設定ダイヤル５及びＡ／Ｃスイッチ６の周囲を連結した状態で同じ色に光らせることにより、エアコンの冷房作動時において、設定温度とＡ／Ｃ機能とが関連していることをユーザに認識させることができる。また、光らせる色に寒色と言われる青色を採用することによって、ユーザがスイッチ装置２０を見るだけで、エアコンが冷房の設定となっていることを認識することができる。
【００３８】
一方、エアコンが暖房機能を作動させているとき、例えば外気温度よりも設定温度が高いときは、図６（ｂ）及び図６（ｆ）に示されるように、インジケータ１５は赤色に、インジケータ１６は橙色に点灯する。すなわち、温度設定ダイヤル５の周囲とＡ／Ｃスイッチ６の周囲とは異なる色に光る。このことから、エアコンの暖房作動時において、設定温度とＡ／Ｃ機能とが関連していないことをユーザに認識させることができる。なお、このとこは、インジケータ１８が点灯せず、インジケータ１５とインジケータ１６とが接続されていないことからも認識することができる。また、温度設定ダイヤル５の周囲を光らせる色に暖色と言われる赤色を採用することによって、ユーザは、スイッチ装置２０を見るだけで、エアコンが暖房の設定となっていることを認識することができる。
【００３９】
次に、Ａ／Ｃスイッチ６がオフ操作されて、Ａ／Ｃ機能がオフとされている状態について説明する。Ａ／Ｃ機能がオフとされている場合は、温度設定ダイヤル５に調節される設定温度によってエアコンの作動状態が送風と暖房との間で切り替わる。エアコンが送風機能を作動させているとき、例えば外気温度よりも設定温度が低いときは、図６（ｃ）及び図６（ｇ）に示されるように、インジケータ１５は緑色に点灯する。すなわち、温度設定ダイヤル５の周囲が緑色に光る。このように、エアコンが送風機能を作動させているときのインジケータ１５の表示色に冷房時の青色及び暖房時の赤色と異なる緑色を採用することによって、ユーザは、スイッチ装置２０を見るだけで、エアコンが送風の設定となっていることを認識することができる。
【００４０】
一方、エアコンが暖房機能を作動させているときは、図６（ｄ）及び図６（ｈ）に示されるように、インジケータ１５は赤色に点灯する。すなわち、温度設定ダイヤル５の周囲とＡ／Ｃスイッチ６の周囲とは異なる色に光る。このことから、上述したＡ／Ｃ機能がオンされた状態と同様に、エアコンの暖房作動時において、設定温度とＡ／Ｃ機能とが関連していないこと、及びスイッチ装置２０を見るだけで、エアコンが暖房の設定となっていることを認識することができる。
【００４１】
次に、フロントデフロスタースイッチ７がオン操作されて、フロントデフロスター機能がオンとされている状態について説明する。フロントデフロスター機能がオンとされている場合は、フロントウインドウに対し送風を行う。このとき、図６（ａ）〜（ｄ）に示されるように、インジケータ１７は、橙色に点灯する。これにより、ユーザは、スイッチ装置２０を見るだけで、エアコンがフロントウインドウに対し送風していることを認識することができる。
【００４２】
この状態で、Ａ／Ｃ機能がオンとされている場合、エアコンは、除湿機能を作動させる。このとき、設定温度が内気温度よりも低い場合、図６（ａ）に示されるように、インジケータ１６は青色に点灯する。すなわち、Ａ／Ｃスイッチ６の周囲とフロントデフロスタースイッチ７の周囲とは異なる色に光る。一般に、フロントウインドウが曇るのは、室内の暖かい空気がフロントウインドウを境として外気に冷やされて、飽和しきれなくなった水蒸気が同ウインドウの室内側に付着するからである。従って、このフロントウインドウの曇りは、外気と室内の空気との温度差を小さくすることで解消することができる。すなわち、エアコンが冷房機能を作動させることで、フロントウインドウの曇りを抑制するのに効果がある。本例の場合、エアコンは、冷房機能及び除湿機能の両機能を作動させているが、Ａ／Ｃ機能の役割としては、冷房機能としての役割が大きい。従って、Ａ／Ｃスイッチ６の周囲とフロントデフロスタースイッチ７の周囲とを異なる色にすることによって、これを視認したユーザに対して、Ａ／Ｃ機能が冷房としての役割が大きいという印象を与える。
【００４３】
一方、設定温度が内気温度よりも高い場合、図６（ｂ）に示されるように、インジケータ１６，１９は橙色に点灯する。すなわち、Ａ／Ｃスイッチ６及びフロントデフロスタースイッチ７の周囲が橙色に光り、また、これらは、線分状のインジケータ１９が同じ橙色に光ることによって連結される。このように、Ａ／Ｃスイッチ６及びフロントデフロスタースイッチ７の周囲を連結した状態で同じ色に光らせることにより、エアコンの除湿機能の作動時において、Ａ／Ｃ機能とフロントデフロスター機能とが関連していることをユーザに認識させることができる。
【００４４】
以上詳述したように、本実施形態によれば、以下に示す効果が得られる。
（１）温度設定ダイヤル５、Ａ／Ｃスイッチ６、フロントデフロスタースイッチ７の周囲を囲うインジケータ１５，１６，１７を設けた。そして、これらインジケータ１５，１６，１７は、それぞれが対応するスイッチの機能をイメージさせる色で点灯させるようにした。これにより、ユーザは、スイッチ装置２０を視認するだけで、エアコンの作動状態を認識することができる。
【００４５】
（２）インジケータ１５及びインジケータ１６、並びにインジケータ１６及びインジケータ１７をそれぞれ連結するインジケータ１８，１９を設けた。そして、エアコンが冷房機能を作動させているときにはインジケータ１８を、フロントデフロスター機能がオンの状態でエアコンが除湿機能のみを作動させているときにはインジケータ１９をそれぞれ点灯させるようにした。これにより、冷房時においては、温度設定ダイヤル５とＡ／Ｃスイッチ６との、フロントデフロスター機能がオンの状態においては、スイッチ装置を視認するだけで、Ａ／Ｃスイッチ６とフロントデフロスタースイッチ７との対応する機能が協働して作動していることを認識することができる。
【００４６】
（３）インジケータ１５，１６，１８は、エアコンの冷房作動時において、青色に点灯するようにした。寒色を言われる青色を採用することによって、例えば、冷気が送風されないエアコンの始動時などであっても、エアコンが冷房の設定になっていることをユーザに容易に認識させることができる。
【００４７】
（４）インジケータ１５は、エアコンの暖房動作時において、赤色に点灯するようにした。暖色を言われる赤色を採用することによって、例えば、暖気が送風されないエアコンの始動時などであっても、エアコンが暖房の設定になっていることをユーザに容易に認識させることができる。
【００４８】
なお、上記実施形態は以下のように変更してもよい。
・上記実施形態において、インジケータ１５，１６，１７は、対応する各スイッチの周囲を囲う態様で設けなくてもよい。例えば、インジケータは、各スイッチの近傍に設けるなど、各スイッチとインジケータとの対応が分かるように設ければよい。このようにしても、上記実施形態と同様の効果を得ることができる。
【００４９】
・上記実施形態では、表示装置として、表示色を変化させることのできるインジケータ１５，１６，１７を採用したが、液晶画面等であってもよい。すなわち、エアコンが作動させている機能に応じて表示態様を変化させることのできるものであればよい。例えば、文字やマーク、イラストなどをエアコンが発揮する機能に応じて変更して表示させる。このようにしてもこのようにしても、上記実施形態と同様の効果を得ることができる。
【００５０】
・上記実施形態では、インジケータ１８，１９によって、インジケータ１５及びインジケータ１６、並びにインジケータ１６及びインジケータ１７をそれぞれ連結した。そしてそれらを点灯することによって、温度設定ダイヤル５及びＡ／Ｃスイッチ６、並びにＡ／Ｃスイッチ６及びフロントデフロスタースイッチ７のそれぞれの機能が協働して作動することを示したが、これらは、必ずしも設ける必要はない。この場合、例えば、インジケータ１５とインジケータ１６とが同色に点灯することによって温度設定ダイヤル５とＡ／Ｃスイッチ６との関連性を示すことができる。同様に、インジケータ１６とインジケータ１７とが同色に点灯することによってＡ／Ｃスイッチ６とフロントデフロスタースイッチ７との関連性を示すことができる。
【００５１】
・上記実施形態において、インジケータ１５，１７を省略してもよい。このようにしても、Ａ／Ｃスイッチ６の操作を通じて作動の有無が切り替えられるコンプレッサーの作動目的をインジケータ１６の点灯を通じて認識することができる。
【００５２】
・上記実施形態において、フロントデフロスタースイッチ７を省略してもよい。
・上記実施形態において、各インジケータを温度設定ダイヤル５、Ａ／Ｃスイッチ６、フロントデフロスタースイッチ７以外にも適用してもよい。例えば、風量切替スイッチに適用してもよい。この場合、風量を増減は、インジケータの点灯に濃淡を付けることによって行うことができる。
【００５３】
・上記実施形態では、スイッチの関連性を示すために、例えば、図６（ａ）においては、インジケータ１５，１６を同色（青色）としたが、色を異ならせてもよい。このようにしても、各インジケータに対応するスイッチによって操作される機能の作動を認識することができる。
【００５４】
・上記実施形態では、図６（ａ）に示されるように、エアコンの冷房作動時において、フロントデフロスタースイッチ７がオンされたとき、インジケータ１９は点灯しないようにしたが点灯するようにしてもよい。
【００５５】
・上記実施形態において、各インジケータの点灯色は、青、赤、緑、橙としたが、これらは適宜変更可能である。
・上記実施形態では、ＥＣＵ８が行う冷房機能の作動の有無の判断、及び暖房機能の作動の有無の判断基準は、設定温度と室温との温度差としたが、これ以外の温度差を判断基準としてもよい。例えば、ユーザが希望する設定温度に空調するためにＥＣＵ８が算出する必要吹き出し風温度と室温との温度差、或いは、カーエアコン１が実際に吐出する実測吹き出し風温度と室温との温度差を判断基準としてもよい。また、室温に代えて設定温度との温度差を冷房機能及び暖房機能の作動の有無の判断基準としてもよい。すなわち、必要吹き出し風温度と設定温度との温度差、或いは、実測吹き出し風温度と設定温度の温度差を判断基準としてもよい。なお、実測吹き出し風温度を採用して判断を行う場合、空調風の吐出口に、同空調風の温度を計測する風温度計を設ける必要がある。
【００５６】
次に、上記実施形態及び別例から把握できる技術的思想について以下に追記する。
（イ）請求項３〜６のうちいずれか一項に記載のカーエアコンのスイッチ装置において、前記各種インジケータは、対応する前記各種スイッチを囲う態様で設けられてなるカーエアコンのスイッチ装置。
【００５７】
同構成によれば、ユーザは自身が操作するスイッチを視認することにより、そのスイッチが対応する機能の作動の有無を確認することができる。
（ロ）請求項４〜６のうちいずれか一項に記載のカーエアコンのスイッチ装置において、設定温度がそのときの室内温度よりも低いとき、前記温度設定スイッチ用インジケータ及び前記Ａ／Ｃスイッチ用インジケータは、青色に点灯するカーエアコンのスイッチ装置。
【００５８】
同構成によれば、寒色を言われる青色を採用することによって、例えば、冷気が送風されないエアコンの始動時などであっても、エアコンが冷房の設定になっていることをユーザに容易に認識させることができる。
【００５９】
（ハ）請求項４〜６のうちいずれか一項に記載のカーエアコンのスイッチ装置において、設定温度がそのときの室内温度よりも高いとき、前記温度設定スイッチ用インジケータは、赤色に点灯するカーエアコンのスイッチ装置。
【００６０】
同構成によれば、暖色を言われる赤色を採用することによって、例えば、暖気が送風されないエアコンの始動時などであっても、エアコンが暖房の設定になっていることをユーザに容易に認識させることができる。
【符号の説明】
【００６１】
Ａ，Ｂ，Ｃ，Ｄ，Ｅ，Ｆ，Ｇ，Ｈ…空調制御、１…カーエアコン、２…内気センサ、３…外気センサ、４…日射センサ、５…温度設定ダイヤル、６…Ａ／Ｃスイッチ、７…フロントデフロスタースイッチ、８…ＥＣＵ、９…コントロールユニット、９ａ…メモリ、１０…表示制御装置、１５，１６，１７，１８，１９…インジケータ、２０…スイッチ装置
【図１】
0005584105.tif 000002
【図２】
0005584105.tif 000003
【図３】
0005584105.tif 000004
【図４】
0005584105.tif 000005
【図５】
0005584105.tif 000006
【図６】
0005584105.tif 000007